(57)【特許請求の範囲】
【請求項１】
枯葉よけネット取付具の取付具本体の下端部が軒樋吊具の先端で、軒樋の屋外側側壁の内側に取り付けられ、この取付具本体が屋根の長手方向沿って、軒樋吊具と共に複数個設けられ、この複数個の取付具本体の上部の上部材の係止部に、円筒形に丸められた枯葉よけネットの円周方向の一端部が取り付けられ、この枯葉よけネット中央部の外周面が屋根の先端に当接されると共に、枯葉よけネットの他端部の先端が前記軒樋吊具の腕部の先端部上面に当接されていることを特徴とする枯葉よけネットの取付構造。
【発明の詳細な説明】
【０００１】
【発明の属する技術分野】
本発明は、軒樋への枯葉やゴミ等の侵入防止に使用される枯葉よけネットの取付構造に関する
【０００２】
【従来の技術】
従来、軒樋へ枯葉やゴミが入って、軒樋が詰まり、軒樋から雨水が溢れだしたりすることがあり、軒樋へ枯葉やゴミが入るのを防ぐ方法としては、市販されている丸ネットを使う方法と、実開平１−７９７１６号公報に記載されている枯葉よけネットと係止突片付きの受け板を使う方法等とがある。
【０００３】
前者の市販品のものは、軒樋施工前に予め軒樋吊具に銅線を付けておき、軒樋施工後、軒樋の径より小さく丸めた枯葉よけネットを軒樋の中に差し込んで、この枯葉よけネットを軒樋吊具に取り付けられた銅線で巻いて止めるもので、簡単なものである。
後者のものは、軒樋の両側の耳部間に、上向きに突設した係止突片が設けられた受け板を架設して、受け板の端部を軒樋の両側の耳部に嵌着し、軒樋の上面開口を覆う枯葉よけネットを受け板に置くと共に受け板の係止突片で枯葉よけネットを止めるもので、簡単な構造のものである。
【０００４】
【発明が解決しようとする課題】
しかしながら、上記の市販品のものは、軒樋吊具に取り付けられた銅線で枯葉よけネットを巻いて止めるもので、軒樋吊具毎に、銅線で枯葉よけネットを巻くのに手間が掛かったり、枯葉よけネットに溜まった枯葉やゴミを取り除くのに手間が掛かったり、枯葉よけネットを巻いた銅線が下方から見えることがあり、美観が悪いという問題があった。
又、実開平１−７９７１６号公報に記載のものは、軒樋の両側の耳部に受け板を架設させ、嵌着させ、更に、係止突片で枯葉よけネットを引っ掛けるのに手間が掛かったり、軒樋の両側の耳部で受け板の端部を嵌着させているため、受け板の端部が下方から見えることがあり、美観が悪いという問題があった。
【０００５】
本発明の目的は、上記問題に着目してなされたもので、取付が簡単で、手間を取らず、美観が良い枯葉よけネットの取付構造を提供するものである。
【０００６】
【課題を解決するための手段】
本発明は上記の目的を達成するためになされたもので、請求項１記載の発明は、枯葉よけネット取付具の取付具本体の下端部が軒樋吊具の先端で、軒樋の屋外側側壁の内側に取り付けられ、この取付具本体が屋根の長手方向沿って、軒樋吊具と共に複数個設けられ、この複数個の取付具本体の上部の上部材の係止部に、円筒形に丸められた枯葉よけネットの円周方向の一端部が取り付けられ、この枯葉よけネット中央部の外周面が屋根の先端に当接されると共に、枯葉よけネットの他端部の先端が前記軒樋吊具の腕部の先端部上面に当接されていることを特徴とする枯葉よけネットの取付構造である。
【０００７】
本発明で使用される枯葉よけネット取付具の材質は、合成樹脂、金属が使用されるが、軽量、防錆の点で合成樹脂がよく、合成樹脂の中でも、ポリカ−ボネ−ト樹脂が好ましい。又、取付具本体と上部材とは、射出成形法で製造すると、取付具本体と上部材とが一体成形できるので、美観の点で、好ましい。
【０００８】
取付具本体の取付部の形状は、取付具本体の下端部で軒樋吊具の先端部に取り付けることができれば、適宜な形状でよく、例えば、取付具本体を上板と両側板とから形成し、上板の両端から両側板を垂下させてコ字状にして、両側板の下端部には、両側板の下端先端より相対して内側斜め上向きに係止突起を設けて形成された取付部を設け、両側板で軒樋吊具の先端部を挟持して、両係止突起で軒樋吊具の先端部の下面を押さえつけるようにすると、しっかりと軒樋吊具の先端部に取付具本体を取り付けることができるので、好ましい。
【０００９】
又、上部材の上端部の係止部の形状は、枯葉よけネットの一端部を係止することができれば、適宜な形状でよく、例えば、上部材の上端部の係止部に、枯葉よけネットの一端部の厚みより若干狭い溝部を設け、この溝部の両側を凹凸状にして、枯葉よけネットの一端部をこの凹凸状の溝部に力強く差し込んで、凹凸で枯葉よけネットの一端部を押さえつけて係止するようにすると、枯葉よけネットの一端部を上部材の係止部に簡単に取り付けることができるので、好ましい。
【００１０】
又、枯葉よけネットの形状は、枯葉よけネットを円筒形にして、円周の一部に長手方向に沿って開口部を設け、一端部が上部材の係止部に差し込まれ、円筒形の枯葉よけネット中央部の外周面が屋根の先端に当接し、他端部の先端が軒樋吊具の腕部の先端部に当接できるものにすることで、構造が簡単で、枯葉よけネットに枯葉やゴミが溜まっても、枯葉よけネットの他端部の先端が軒樋吊具の腕部の先端部に当接して、枯葉やゴミ等の重さを支え枯葉よけネットが変形せず、取付具本体への取付も簡単にできる。
【００１１】
取付具本体と上部材を別々に射出成型法にて、成型すると、美観がよく、好ましい。又、取付具本体と上部材との接続部の形状は、取付具本体と上部材とが、互いに、屋根と直交する方向に回動自在になされれば、適宜な形状でよく、例えば、取付具本体を上板と両側板とから形成し、この上板の両端から上方向に垂直に突設した突設片を設け、この両突設片に差込孔を開け、上板の両端から両側板を垂下させてコ字状にして、上部材の下端部に取付具本体の上端部の両突設片間に嵌まる突設物と、この突設物に長手方向に沿って貫通孔とを設け、ヒンジピンを差込孔と貫通孔に差し込んで、取付具本体と上部材とをヒンジ接合すると、簡単に、上部材を屋根の長手方向と直交する方向に回動自在にできるので、好ましい。
【００１２】
本発明において、この枯葉よけネット取付具に枯葉よけネットをしっかりととめることができれば、枯葉よけネット取付具の個数は適宜でよく、例えば、枯葉よけネット取付具を軒樋吊具と同じ個数付けると、より強固に枯葉よけネットが取り付けられるので、好ましい。又、枯葉よけネット取付具が軒樋吊具と同じ個数でなくても、しっかりと枯葉よけネット取付具に枯葉よけネットが取り付けられていれば、コスト削減にもなるので、好ましい。
【００１３】
（作用）
請求項１記載の発明においては、枯葉よけネット取付具の取付具本体の下端部が軒樋吊具の先端で、軒樋の屋外側側壁の内側に取り付けられ、この取付具本体が屋根の長手方向に沿って、軒樋吊具と共に複数個設けられ、この複数個の取付具本体の上部の上部材の係止部に、円筒形に丸められた枯葉よけネットの円周方向の一端部が取り付けられ、この枯葉よけネット中央部の外周面が屋根の先端に当接されると共に、枯葉よけネットの他端部の先端が前記軒樋吊具の腕部の先端部上面に当接されているので、枯葉よけネットを鼻隠し板にしっかりと取り付けられた軒樋吊具に取り付けることができ、枯葉やゴミ等を枯葉よけネットで受け止め、軒樋に枯葉やゴミ等がはいるのを防ぐことができる。
【００１４】
【発明の実施の形態】
本発明の一実施例を図１に基づいて説明する。
図１の（イ）は枯葉よけネット取付具の斜視説明図、（ロ）は枯葉よけネットの斜視説明図、（ハ）は枯葉よけネット取付具を軒樋吊具に取り付け、枯葉よけネット取付具に枯葉よけネットを取り付けた状態を示す断面説明図である。
【００１５】
枯葉よけネット取付具Ａは、取付具本体１１と、この取付具本体１１の上部に取り付けられた上部材１２とからなっている。取付具本体１１は、ポリカ−ボネ−ト樹脂製で、上板１４と、この上板１４の両端から垂下した両側板１５、１５とからなっている。この取付具本体１１の下端部には、軒樋吊具３に取り付けられる取付部１３が設けられ、この取付部１３は、両側板の下端先端より相対して内側斜め上向きに係止突起１６、１６を設けて形成され、両側板１５、１５で軒樋吊具３の先端部を挟持して、両係止突起１６、１６で軒樋吊具３の先端部の下面を押さえつけるようになされている。
【００１６】
上部材１２は、ポリカ−ボネ−ト樹脂製で、直方体であり、ほぼ中央部に長手方向に沿って上端部に係止部１７が設けられ、この係止部１７は、枯葉よけネット２（後述説明）の一端部の厚みより若干狭い溝部１８を設け、この溝部１８の両側が凹凸状になされ、枯葉よけネット２の一端部が、この凹凸状の溝部１８に力強く差し込まれて、凹凸で枯葉よけネット２の一端部を押さえつけられて、係止するようになされている。
【００１７】
枯葉よけネット２は、塩化ビニル樹脂製で、周縁部を除いて全体が網状で、円筒形になされ、この円周の一部に長手方向に沿って開口部２１が設けられている。枯葉よけネット２の一端部の厚みは、上部材１２の溝部１８より若干厚くされ、枯葉よけネット２の一端部を上部材１２の溝部１８に差し込んで、係止されるようになっている。
【００１８】
次に、枯葉よけネット取付具Ａの施工方法及び作用について説明する。
軒先の鼻隠し板５に軒樋吊具３を所定位置に複数個取り付け、この複数個の軒樋吊具３に軒樋４を取り付ける。
次に、軒樋吊具３の腕部の屋外側先端部で、軒樋４の屋外側側壁の内側に、取付具本体１１の下端部の取付部１３を上方から差し込み、取付部１３の両側板１５、１５で軒樋吊具３の腕部の屋外側先端部を挟持し、両側板１５、１５の下端先端より相対して内側斜め上向きに設けられた係止突起１６、１６で軒樋吊具３の先端部の下面を押さえつけるようにして、取付具本体１１の取付部１３を軒樋吊具３に取り付ける。このようにして、順次、複数個の軒樋吊具３に取付具本体１１を取り付ける。
【００１９】
次に、軒樋吊具３に取り付けられた取付具本体１１の上部の上部材１２の上端部の係止部１７の溝部１８に上方より枯葉よけネット２の一端部を力強く差し込んで、溝部１８の両側の凹凸で枯葉よけネット２の一端部を押さえつけるようにして上部材１２の係止部１７で枯葉よけネット２を係止する。
すると、円筒形の枯葉よけネット２の中央部外周面の一部が屋根の先端に当接し、枯葉よけネット２の他端が軒樋吊具３の腕部の上面に当接する。このようにして、順次、複数個の上部材１２に枯葉よけネット２を取り付け、円筒形の枯葉よけネット２の外周面の一部を屋根の先端と、枯葉よけネット２の他端部の先端を軒樋吊具３の腕部の上面とにそれぞれ当接する。
【００２０】
このようにすると、取付具本体１１には、下端部が軒樋吊具３に取り付けられる取付部１３が設けられ、上部材１２には、上端部に枯葉よけネット２の一端部を係止する係止部１７とが設けられているから、取付具本体１１の下端部の取付部１３を軒樋吊具３に取り付け、取付具本体１１の上部の上部材１２の上端部の係止部１７に枯葉よけネット２の一端部を係止することによって、枯葉よけネット２の一端を軒樋吊具３にしっかりと取りつけることができる。従って、従来の枯葉よけネット２の両端を、軒樋４の耳部に取り付けるのに較べて、枯葉よけネット２の一端だけで取り付けることができるので、手間が省くことができる。
【００２１】
又、取付具本体１１を取り付ける場所が、軒樋４の屋外側側壁の内側にある軒樋吊具３の腕部であるので、この取付具本体１１に枯葉よけネット２の一端部を取り付けると、下方から取付具本体１１と枯葉よけネット２は見えず、枯葉よけネット２を取り付けた後の美観が良い。
【００２２】
枯葉よけネット取付具Ａの取付具本体１１の下端部が軒樋吊具３の先端で、軒樋４の屋外側側壁の内側に取り付けられ、この取付具本体１１が、屋根の長手方向に沿って、軒樋吊具３と共に複数個設けられ、この複数個の取付具本体１１の上部の上部材１２の係止部１７に、枯葉よけネット２の長手方向の一端部が取り付けられ、枯葉よけネット２の他端部が屋根の先端に当接されて取り付けられているから、枯葉よけネットを鼻隠し板にしっかりと取り付けられた軒樋吊具に取り付けることができ、枯葉やゴミ等を枯葉よけネット２で受け止め、軒樋４に枯葉やゴミ等がはいるのを防ぐことができる。
【００２３】
次に、本発明の他の実施例を図２に基づいて説明する。
図２の（イ）は枯葉よけネット取付具の斜視説明図、（ロ）は枯葉よけネットの斜視説明図、（ハ）は枯葉よけネット取付具を軒樋吊具に取り付け、枯葉よけネット取付具に枯葉よけネットを取り付けた状態を示す断面説明図である。
本発明の他の実施例の構造と作用については、図１の一実施例に示したように、枯葉よけネット取付具Ａの取付具本体１１と上部材１２とが一体でなく、取付具本体１１ａと上部材１２ａとがヒンジ接合され、回動自在になされているところが異なるだけで、その他の枯葉よけネット取付具の構造と作用については、ほとんど同様であり、構造と作用についての説明は省略する。
【００２４】
枯葉よけネット取付具Ｂは、取付具本体１１ａと、この取付具本体１１ａの上部の上部材１２ａと、ヒンジピン１９とからなっている。取付具本体１１ａは、ポリカ−ボネ−ト樹脂製で、上板１４ａと、この上板１４ａの両端から上方向に垂直に突設した突設片６、６と、上板１４ａの両端から垂下した両側板１５ａ、１５ａとからなっている。この突設片６、６には差込孔７、７とが設けられている。
【００２５】
上部材の下端部は、取付具本体１１ａの上端部の両突設片６、６間に嵌まる突設物８と、この突設物８に長手方向と直交する貫通孔９とが設けられ、ヒンジピン１９を差込孔７と貫通孔９に差し込んで、取付具本体１１ａと上部材１２ａとをヒンジ接合され、上部材１２ａを屋根の長手方向と直交する方向に回動自在になされている。
【００２６】
枯葉よけネット取付具Ｂの施工方法は、枯葉よけネット取付具Ａの施工方法及び作用とほとんど同じであり、異なるところは、取付具本体１１ａと上部材１２ａとが回動自在になされている点である。
そのため、複数個の軒樋吊具３に取付具本体１１ａを取り付け、取付具本体１１ａにヒンジ接合された上部材１２ａに枯葉よけネット２を取り付け後、上部材１２ａを取付具本体１１ａと上部材１２ａとの接合部を軸にして、上部材１２ａを屋根の長手方向と直交する方向の屋外側、又は、屋内側に回動することができる。
【００２７】
このようにすると、取付具本体１１ａと上部材１２ａとが、屋根の長手方向と直交する方向に回動自在になされているから、取付具本体１１ａと上部材１２ａとの接合部を軸にして、上部材１２ａを軒樋と直交する方向の屋内側に回動することによって、枯葉よけネット２に溜まった枯葉やゴミ等を落下させて取り除くことができ、取り除いた後、上部材１２ａを屋内側方向に回動して、元の状態に戻すことができる。
そのため、枯葉よけネットに溜まった枯葉やゴミ等を手で部分的に取り除くのに較べて、手間を省くことができる。
【００２８】
【発明の効果】
請求項１記載の発明においては、枯葉よけネット取付具の取付具本体の下端部が軒樋吊具の先端で、軒樋の屋外側側壁の内側に取り付けられ、この取付具本体が屋根の長手方向に沿って、軒樋吊具と共に複数個設けられ、この複数個の取付具本体の上部の上部材の係止部に、円筒形に丸められた枯葉よけネットの円周方向の一端部が取り付けられ、この枯葉よけネット中央部の外周面が屋根の先端に当接されると共に、枯葉よけネットの他端部の先端が前記軒樋吊具の腕部の先端部上面に当接されているので、枯葉よけネットを鼻隠し板にしっかりと取り付けられた軒樋吊具に取り付けることができ、枯葉やゴミ等を枯葉よけネットで受け止め、軒樋に枯葉やゴミ等がはいるのを防ぐことができる。
【００２９】
【図面の簡単な説明】
【図１】  （イ）は枯葉よけネット取付具の斜視説明図、（ロ）は枯葉よけネットの斜視説明図、（ハ）は枯葉よけネット取付具を軒樋吊具に取り付け、枯葉よけネット取付具に枯葉よけネットを取り付けた状態を示す断面説明図である。
【図２】  （イ）は枯葉よけネット取付具の斜視説明図、（ロ）は枯葉よけネットの斜視説明図、（ハ）は枯葉よけネット取付具を軒樋吊具に取り付け、枯葉よけネット取付具に枯葉よけネットを取り付けた状態を示す断面説明図である。
【符号の説明】
Ａ、Ｂ  枯葉よけネット取付具
１１、１１ａ  取付具本体
１２、１２ａ  上部材
１３  取付部
１４、１４ａ  上板
１５  側板
１６  係止突起
１７  係止部
１８  溝部
１９  ヒンジピン
２  枯葉よけネット
２１  開口部
３  軒樋吊具
４  軒樋
５  鼻隠し板
８  突設物
９  貫通孔
【図１】
0003817030.tif 000002
【図２】
0003817030.tif 000003